(57)【要約】第１ビデオプログラムを表示しながら同時に第２ビデオプログラムを監視するための方法及び装置（２）が記載される。方法は、第１ビデオプログラム及び第２ビデオプログラムを受信するステップ（１０）を有する。関心領域は、第２ビデオプログラムにおいて識別される（１１）。第１ビデオプログラムと、第２ビデオプログラムの関心領域の少なくとも一部分に対応する情報とは、ディスプレイへ供給され（１２）、一方、第２ビデオプログラムの少なくとも一部分は、記録される（１３）。関心領域の少なくとも一部分に対応する供給された情報の変化に応答して、記録された第２ビデオプログラムの少なくとも一部分は、取り出され（１４）、ディスプレイへ供給される（１５）。
2016536834.tif 000002
【特許請求の範囲】
【請求項１】
第１ビデオプログラムを表示しながら同時に第２ビデオプログラムを監視するための、受信器において実施される方法であって、
第１ビデオプログラム及び第２ビデオプログラムを受信するステップと、
前記第２ビデオプログラムにおいて関心領域を識別するステップと、
前記第１ビデオプログラムと、前記第２ビデオプログラムの前記関心領域の少なくとも一部分に対応する情報とをディスプレイへ供給するステップと、
前記第２ビデオプログラムを記録するステップと、
前記関心領域の少なくとも一部分に対応する前記供給された情報の変化に応答して、前記記録された第２ビデオプログラムの少なくとも一部分を取り出すステップと、
前記第２ビデオプログラムの前記取り出された部分をディスプレイへ供給するステップと
を有する方法。
【請求項２】
前記第１ビデオプログラムと、前記第２ビデオプログラムの前記関心領域の少なくとも一部分に対応する情報とをディスプレイへ供給するステップは、ピクチャ・イン・ピクチャに基づく、
請求項１に記載の方法。
【請求項３】
前記第２ビデオプログラムの少なくとも一部分を取り出してディスプレイへ供給するステップは、前記関心領域の少なくとも一部分に対応する前記供給された情報の変化に応答してユーザ入力の受信時に開始される、
請求項１又は２に記載の方法。
【請求項４】
前記第１ビデオプログラムをディスプレイへ供給することは、リアルタイムであり、
前記第２ビデオプログラムを記録することは、該記録された第２ビデオプログラムの少なくとも一部分を取り出してディスプレイへ供給することが遅延されるように、タイムシフト・レコーディングである、
請求項１乃至３のうちいずれか一項に記載の方法。
【請求項５】
前記供給された情報の変化が起きた変化時間を記録するよう、前記第２ビデオプログラムの前記関心領域の少なくとも一部分に対応する前記情報を解析するステップを更に有し、
前記第２ビデオプログラムの前記取り出された部分は、前記変化時間よりも早い時間から開始する再生のためにディスプレイへ供給される、
請求項４に記載の方法。
【請求項６】
前記第２ビデオプログラムにおいて前記関心領域を識別するステップは、前記第２ビデオプログラムにおいて複数のピクセル点を検出し、該ピクセル点のｘ及びｙ座標を抽出することを含む、
請求項１乃至５のうちいずれか一項に記載の方法。
【請求項７】
前記第２ビデオプログラムにおいて前記関心領域を識別することは、前記ピクセル点のＳＩＦＴ、ＯｐｐｏｎｅｎｔＳＩＦＴ及び／又はＳＵＲＦ特徴を解析することを含む、
請求項６に記載の方法。
【請求項８】
前記第２ビデオプログラムの前記取り出された部分をディスプレイへ供給するステップは、ピクチャ・イン・ピクチャに基づく、
請求項１乃至７のうちいずれか一項に記載の方法。
【請求項９】
第１ビデオプログラムを表示しながら同時に第２ビデオプログラムを監視するよう構成される装置であって、
第１ビデオプログラム及び第２ビデオプログラムを受信する受信ユニットと、
前記第２ビデオプログラムを記録する記録ユニットと、
前記第２ビデオプログラムにおいて関心領域を識別し、且つ、前記記録された第２ビデオプログラムの少なくとも一部分を取り出す制御ユニットと、
前記第１ビデオプログラムと、前記第２ビデオプログラムの前記関心領域の少なくとも一部分に対応する情報と、前記第２ビデオプログラムの前記取り出された部分とをディスプレイへ供給する処理ユニットと
を有し、
前記制御ユニットは、前記第２ビデオプログラムの前記関心領域の少なくとも一部分に対応する前記供給された情報の変化に応答して、前記記録された第２ビデオプログラムの少なくとも一部分を取り出す、装置。
【請求項１０】
ユーザ入力を受信及び送信する入力ユニットを更に有し、
前記制御ユニットは、前記関心領域の少なくとも一部分に対応する前記供給された情報の変化に応答して、ユーザ入力の受信時に、前記記録された第２ビデオプログラムの少なくとも一部分を取り出す、
請求項９に記載の装置。
【請求項１１】
前記記録ユニットは、前記第２ビデオプログラムを記録することがタイムシフト・レコーディングであるように循環バッファを有する、
請求項９又は１０に記載の装置。
【請求項１２】
前記制御ユニットは、前記供給された情報の変化が起きた変化時間を記録するよう、前記第２ビデオプログラムの前記関心領域の少なくとも一部分に対応する前記情報を解析し、
前記処理ユニットは、前記変化時間よりも早い時間から開始する再生のために、前記第２ビデオプログラムの前記取り出された部分をディスプレイへ供給する、
請求項９乃至１１のうちいずれか一項に記載の装置。
【請求項１３】
前記制御ユニットは、前記第２ビデオプログラムにおいて複数のピクセル点を検出し、該ピクセル点のｘ及びｙ座標を抽出することによって、前記第２ビデオプログラムにおいて前記関心領域を識別する、
請求項９乃至１２のうちいずれか一項に記載の装置。
【発明の詳細な説明】
【技術分野】
【０００１】
本発明は、ビデオプログラムの同時の表示及び監視のための方法及び装置に関する。より具体的には、本発明は、１つのビデオプログラムを、他のビデオプログラムを表示しながら監視及び再生することに関する。
【背景技術】
【０００２】
マルチメディア信号の処理及び伝送技術の急速な進歩に伴って、今日、ユーザ装置デバイスは、１つよりも多いチャネル又はメディアコンテンツが同時に同調、表示、及び／又は記録されることを可能にするよう、複数のデジタル又はアナログチューナをサポートすることができる。更には、ディスプレイのピクチャ・イン・ピクチャ（ＰＩＰ；Picture-in-Picture）機能は、視聴者が、メインのメディアコンテンツにオーバーレイする、より小さなウィンドウにおいて表示される他のメディアプログラムをモニタしながら、メインのメディアチャネルを見ることを可能にする。ＰＩＰ表示及び複数のメディアチャネルを切り替える可能性により、視聴者が同時に複数のメディアチャネルを見て追跡することは、現在では、より容易であり且つより簡便である。
【０００３】
しかし、ＰＩＰ表示には有意な問題が存在する。より小さなウィンドウにおいて表示されているメディアプログラムの直接的な解像度の低下は、メディアコンテンツの詳細な画像の喪失を引き起こす。この喪失は、視聴者が最も又は唯一関心のある特定のコンテンツを含むメディアプログラムについて特に深刻である。例えば、他のメインのメディアプログラムを見ながらＰＩＰ表示においてスポーツ競技をモニタしたい視聴者について、視聴者は、採点種目の得点の変化にのみ関心を持っていることがある。ＰＩＰプログラムの関心領域、例えば、スポーツ競技の得点領域のみが明りょうさのためにＰＩＰ表示において表示され拡大されることが望ましい。特定の事象又は得点領域の表示は、特別のデータサービスによってモニタされ、提供されることがあり得る。特定の事象のデータは、テキストフォーマット又は画像フォーマットにおいて、外部のデータサービスによって収集され、表示のためにユーザ装置デバイス及びＰＩＰ表示へ直接に送信される。それでもなお、モニタされる特定の事象は、外部のサービスセンタによってこのようにして制限される。加えて、視聴者は、ＰＩＰプログラムから自身の関心領域を任意に画定し、選択することができない。
【０００４】
事象が起こった直後のＰＩＰプログラムの即時の再生は、複数のメディアの視聴経験のための他の望ましい改善である。そのような機能は、スポーツ競技及びエンターテイメントイベントについて特に有用である。通常は、複数のメディアプログラムの間の切り替えは、ユーザ入力を通じて視聴者によって制御及びトリガされる。しかし、これは、常に有効であるわけではなく、視聴者にとって面倒であることがあり得る。より容易且つより効率的な方法において即時の再生を提供することが可能な方法及びシステムが必要である。
【発明の概要】
【０００５】
従って、本発明の目的は、複数のメディアの視聴経験のための改善された解決法を提案することである。より具体的には、本発明は、ユーザ指向の特定の事象をモニタし、再生する可能性を伴うビデオプログラムの同時の表示及び監視のための方法及びシステムを提供する。
【０００６】
本発明の第１の態様に従って、第１ビデオプログラムを表示しながら同時に第２ビデオプログラムを監視するための方法は、少なくとも１つのビデオ信号を受信し、該少なくとも１つのビデオ信号から第１ビデオプログラム及び第２ビデオプログラムを抽出するステップと、前記第２ビデオプログラムにおいて関心領域を識別するステップと、前記第１ビデオプログラムと、前記第２ビデオプログラムの前記関心領域の少なくとも一部分に対応する情報とをディスプレイへ供給するステップと、前記第２ビデオプログラムを記録するステップと、前記関心領域の少なくとも一部分に対応する前記供給された情報の変化に応答して、前記記録された第２ビデオプログラムの少なくとも一部分を取り出すステップと、前記第２ビデオプログラムの前記取り出された部分をディスプレイへ供給するステップとを有する。
【０００７】
望ましくは、前記第１ビデオプログラムと、前記第２ビデオプログラムの前記関心領域の少なくとも一部分に対応する情報とのディスプレイへの供給、ピクチャ・イン・ピクチャに基づく。同様に、前記第２ビデオプログラムの前記取り出された部分のディスプレイへの供給も、ピクチャ・イン・ピクチャに基づくことができる。
【０００８】
一実施形態において、前記記録された第２ビデオプログラムの少なくとも一部分を取り出し、ディスプレイへ供給することは、前記第２ビデオプログラムの前記関心領域の少なくとも一部分に対応する前記供給された情報の変化に応答してユーザ入力の受信時に開始される。
【０００９】
他の実施形態では、前記第１ビデオプログラムのディスプレイへの供給は、リアルタイムであり、前記第２ビデオプログラムの記録は、該記録された第２ビデオプログラムの少なくとも一部分を取り出してディスプレイへ供給することが遅延されるように、タイムシフト・レコーディングである。より具体的には、前記第２ビデオプログラムの前記関心領域の少なくとも一部分に対応する前記供給された情報は、該供給された情報の変化が起きた変化時間を記録するよう解析される。前記第２ビデオプログラムの前記取り出された部分は、前記変化時間よりも早い時間から開始する再生のためにディスプレイへ供給される。
【００１０】
更なる実施形態では、前記第２ビデオプログラムにおける前記関心領域の識別は、前記第２ビデオプログラムにおいて複数のピクセル点を検出し、該ピクセル点のｘ及びｙ座標を抽出することを含む。特に、前記識別は、前記ピクセル点のＳＩＦＴ、ＯｐｐｏｎｅｎｔＳＩＦＴ及び／又はＳＵＲＦ特徴を解析することを含む。
【００１１】
本発明の第２の態様に従って、第１ビデオプログラムを表示しながら同時に第２ビデオプログラムを監視するよう構成される装置は、少なくとも１つのビデオ信号を受信し、該少なくとも１つのビデオ信号から第１ビデオプログラム及び第２ビデオプログラムを抽出する受信ユニットと、前記第２ビデオプログラムを記録する記録ユニットと、前記第２ビデオプログラムにおいて関心領域を識別し、且つ、前記記録された第２ビデオプログラムの少なくとも一部分を取り出す制御ユニットと、前記第１ビデオプログラムと、前記第２ビデオプログラムの前記関心領域の少なくとも一部分に対応する情報と、前記第２ビデオプログラムの前記取り出された部分とをディスプレイへ供給する処理ユニットとを有し、前記制御ユニットは、前記第２ビデオプログラムの前記関心領域の少なくとも一部分に対応する前記供給された情報の変化に応答して、前記記録された第２ビデオプログラムの少なくとも一部分を取り出す。
【図面の簡単な説明】
【００１２】
より良い理解のために、本発明は、これより、図を参照して以下の記載において更に詳細に説明される。本発明は、この開示されている例となる実施形態に制限されず、また、特定の特徴は、添付の特許請求の範囲で定義される本発明の適用範囲から逸脱することなしに、便宜上、結合及び／又は変更され得ることが理解される。
【図１】本発明に従う方法を実施する装置を表す概略図である。
【図２】本発明に従って、第１ビデオプログラムを表示しながら同時に第２ビデオプログラムを監視するための方法を表すフローチャートである。
【発明を実施するための形態】
【００１３】
図１は、第１ビデオプログラムを表示しながら同時に第２ビデオプログラムを監視するよう構成される本発明の装置２についての実施形態を表す。装置２は、少なくとも１つのビデオ信号を受信し、少なくとも１つのビデオ信号から少なくとも第１ビデオプログラム及び第２ビデオプログラムを抽出する受信ユニット２０と、第１ビデオプログラム及び第２ビデオプログラムのうちの少なくとも１つを記録する記録ユニット２１と、制御ユニット２２と、処理ユニット２３とを有する。例えば、装置２は、ビデオ信号を受信及び送信することができるセットトップボックス又は同様の外部デバイスであることができる。代替的に、装置２は、ＴＶセットに組み込まれたデバイスであることもできる。受信ユニット２０は、少なくとも１つのビデオ信号を夫々受信する１つ又は複数のチューナを有することができる。記録ユニット２１は、ＲＡＭ、ＲＯＭ、ハードディスク、ハッシュディスク、及びハイブリッド型のメモリを含むメモリであることができる。望ましくは、記録ユニット２１は、少なくとも１つのビデオ信号から抽出された少なくとも１つのビデオプログラムのタイムシフト・レコーディングのために、受信ユニット２０における対応するチューナに関連する少なくとも１つの循環バッファを有する。装置２が、受信ユニット２０と記録ユニット２１との間にデコーダ２４、２５又は同様のデバイスを更に有することは、任意である。セットトップボックスの例にあるように、デコーダ２４、２５は、チューナと循環バッファとの間に設置されて、相応にそれらに接続することができる。
【００１４】
制御ユニット２２は、受信ユニット２０に、少なくとも１つのビデオ信号を受信し、ビデオプログラムを抽出するよう求めること、及び記録ユニット２１に、ビデオプログラムを記録するよう求めることのように、装置２において様々なデバイスを管理するために使用される。制御ユニット２２は、ユーザ入力を受信及び送信するユーザ入力ユニット（図示せず。）を更に有してよい。代替的に、ユーザ入力ユニットは、制御ユニット２２とは別に配置されてよい。例えば、ユーザ入力ユニットは、ユーザが入力を入力することが可能なリモートコントロールデバイスであることができる。処理ユニット２３は、ビデオプログラム及びその情報をディスプレイ３へ供給し、例えば、マルチプレクサ又は同様のデバイスであることができる。望ましくは、ディスプレイ３は、フルのメインスクリーンで１つのビデオプログラムを見ながら同時に、ピクチャ・イン・ピクチャ（ＰＩＰ）表示４として挿入されたウィンドウにおいて他のプログラムを表示することを可能にする。装置２によれば、ビデオプログラムを含む少なくとも１つのビデオ信号は、受信され、表示のためにそれに接続されているディスプレイ３へ送信され得る。
【００１５】
本発明の方法を実施する装置２によって受信されるビデオ信号の量は、制限されないことが理解されるべきである。同様に、少なくとも１つのビデオ信号に含まれるビデオプログラムの量も制限されない。少なくとも１つのビデオ信号は、例えば、テレビジョンアンテナ、ケーブルからの入力、マイクロ波、光ファイバ、衛星テレビジョンシステム、又は同様のもののような、ＲＦ信号のソースから伝来することができる。代替的に、ビデオ信号は、ＤＶＤ又はブルーレイ再生デバイス、ＶＣＲ、コンピュータ、等のような補助ソースから供給され得る。少なくとも第１ビデオプログラム及び第２ビデオプログラムは、同じ又は異なったビデオ信号によってもたらされ得る。すなわち、夫々の個々のビデオプログラムは、少なくとも１つのビデオ信号から独立して抽出される。然るに、上述された装置２の構成は、自由自在であって、複数のビデオ信号を受信し、複数のビデオプログラムを抽出するよう調整可能である。セットトップボックスの場合に、装置２は、複数のチューナ及び循環バッファとともに、本発明の方法の実施のための如何なる追加又は代替のデバイスも有することができる。望ましくは、装置２は、受信ユニット２０において、又は如何なる他のタイプの信号ソースからもビデオ信号を受信し、ビデオ信号からビデオプログラムを抽出することができる。例えば、第１ビデオプログラムは、チューナにおいて受信されたビデオ信号から抽出されてよく、一方、第２ビデオプログラムは、ＤＶＤ再生機から供給されてよい。代替的に、どちらのビデオプログラムも同じビデオ信号からもたらされてよい。
【００１６】
図２に示されるように、本発明に従う方法の好適な実施形態は、少なくとも１つのビデオ信号を受信し、少なくとも１つのビデオ信号から第１ビデオプログラム及び第２ビデオプログラムを抽出するステップ１０と、第２ビデオプログラムにおいて関心領域を識別するステップ１１と、第１ビデオプログラムと、第２ビデオプログラムの関心領域の少なくとも一部分に対応する情報とをディスプレイへ供給するステップ１２と、第２ビデオプログラムを記録するステップ１３と、関心領域の少なくとも一部分に対応する供給された情報の変化に応答して、記録された第２ビデオプログラムの少なくとも一部分を取り出すステップ１４と、第２ビデオプログラムの取り出された部分をディスプレイへ供給するステップ１５とを有する。
【００１７】
図１を参照して、本発明の方法は、セットトップボックスとしての装置２の好適な実施形態を用いて更に説明される。受信ユニット２０の２つのチューナは、少なくとも１つのビデオ信号から抽出された第１ビデオプログラム及び第２ビデオプログラムを夫々受信し、対応するデコーダ２４、２５へ送信する。記録ユニット２１において循環バッファが１つしかない場合に、第１ビデオプログラムは、処理ユニット２３へ直接に送信され、次いで、表示のためにディスプレイ３へ供給される。第２ビデオプログラムは、対応するデコーダを通じて循環バッファへ送信され、そこに記憶される。任意に、記録ユニット２１において２つの循環バッファがある場合は、第１ビデオプログラム及び第２ビデオプログラムのどちらも記録ユニット２１に記憶され得る。
【００１８】
制御ユニット２２は、第２ビデオプログラムにおいて関心領域を識別する。ここで、関心領域（ＲＯＩ）は、ユーザが最も関心のある、あるいは、第２ビデオプログラムのフレーム又はスクリーン上の他の領域よりも注意を払っている領域をいう。例えば、ＲＯＩは、スポーツ競技の得点領域、又は株価情報において示されている特定の株であってよい。ＲＯＩの識別は、所定の条件を与えられている装置２によって自動的に、又はユーザリクエストによって達成され得る。ＲＯＩが識別されると、ＲＯＩの少なくとも一部分に対応する情報は解析され、処理ユニット２３へ与えられる。情報は、テキスト、画像、ピクセル点、又は如何なる他のフォーマットの情報であることもできる。その後に、情報は、処理ユニット２３を介してディスプレイへ供給される。例えば、ＲＯＩがスポーツ競技の得点領域であって、ピクセル画像であり、背景画像と、得点を表すよう前面に示された数字とを含む場合は、このＲＯＩの情報は、数字に対応するピクセル点のみであってよい。代替的に、情報は、また、数字及び背景画像を含むＲＯＩの全体画像を参照することもできる。望ましくは、第２ビデオプログラムのＲＯＩの少なくとも一部分に対応するこの情報は、ＰＩＰ表示４で表示され、一方、ディスプレイ３は、ＲＯＩの解析及び抽出を伴わずにディスプレイへ直接に送信される第１ビデオプログラムを表示する。当然、第１ビデオプログラムと、第２ビデオプログラムのＲＯＩの少なくとも一部分に対応する情報とのための表示は、逆であってよい。
【００１９】
第１ビデオプログラムと、第２ビデオプログラムのＲＯＩの少なくとも一部分に対応する情報とが、ディスプレイ３によって表示される間、ＲＯＩの情報は引き続き解析される。同時に、第２ビデオプログラムは記録ユニット２１によって記録される。第２ビデオプログラムの少なくとも一部分の記録は、記録ユニット２１の循環バッファにおけるタイムシフト・レコーディングであることが望ましい。すなわち、第１ビデオプログラムは、リアルタイムでディスプレイ３へ供給され、第２ビデオプログラムは、第２ビデオプログラムの少なくとも一部分のその後の取り出し及びディスプレイへの供給が遅延されるように、循環バッファにおいてタイムシフト・レコーディングされる。
【００２０】
供給された情報の変化が検出されると、循環バッファに記憶されている第２ビデオプログラムの少なくとも一部分の取り出し及びディスプレイへの供給は、装置２の制御ユニット２２によって自動的に、又はユーザ入力ユニットを介したユーザ入力の受信時に、開始される。第２ビデオプログラムの取り出された部分は、その後に、処理ユニット２３を介して再生のためにディスプレイへ供給される。望ましくは、第２ビデオプログラムの取り出された部分はＰＩＰ表示４として表示される。ＰＩＰ表示４へは、第２ビデオプログラムのＲＯＩの少なくとも一部分に対応する情報が同様に供給される。望ましくは、第２ビデオプログラムの関心領域の少なくとも一部分に対応する供給された情報は、情報の変化が起こった変化時間を記録するために解析される。第２ビデオプログラムの取り出された部分の再生は、記録された変化時間よりも早い時間から然るべく開始する。例えば、情報の変化がビデオプログラムの３０分の時点で起こる場合に、そのビデオプログラムの取り出された部分の再生は、その２７分又は２８分の時点から開始してよい。記録ユニット２１の循環バッファのサイズは、取り出され、レビューされる画像のサイズ及びビデオシーケンスの存続期間に依存する。
【００２１】
一実施形態において、第１ビデオプログラムは、ニュース又は映画のようなＴＶチャネルであってよく、第２ビデオプログラムは、視聴者にとってＲＯＩが得点領域であり得るスポーツ競技である。２つのビデオプログラムの受信の後で、第１ビデオプログラムは、直接にディスプレイ３へ送信され、スポーツ競技は、記録ユニット２１においてバッファされ、記憶される。スポーツ競技の得点領域の少なくとも一部分に対応する情報は、上述されたように得点の数字であってよく、表示のためにＰＩＰ表示４へ送信される。すなわち、視聴者は、ＰＩＰ表示４でスポーツ競技の得点を監視しながら同時に、ディスプレイでメインのＴＶチャネルを見ることができる。
【００２２】
スポーツ競技の得点、すなわち、第２ビデオプログラムに対応する情報は、装置２によって引き続き監視及び解析される。得点について変化があると、記憶されているスポーツ競技の取り出しがトリガされる。スポーツ競技の一部分は、制御ユニット２２及び処理ユニット２３によって取り出され、ＰＩＰ表示４で再生される。この再生は、装置２によって自動的に、又は視聴者が得点の変化に不安を感じたときにユーザ入力によって、開始され得る。得点の変化時間は記録され、スポーツ競技の再生は、その変化時間よりも早い所定の時間から開始することができる。すなわち、視聴者は、得点が変化する直前に最も重要な得点の期間を見直すことができる。
【００２３】
第２ビデオプログラムにおけるＲＯＩの識別についての一例は、複数のピクセル点を検出し、ピクセル点のｘ及びｙ座標を抽出することを有する。特に、ＲＯＩの識別は、ピクセル点のＳＩＦＴ、ＯｐｐｏｎｅｎｔＳＩＦＴ及び／又はＳＵＲＦ特徴を解析することによって行われる光学文字認識に基づく。ＳＩＦＴは、画像において局所的な特徴を検出及び記述するためのロバストな計算であって、当業者にとってよく知られた技術であり、その詳細はここでは割愛される。
【００２４】
実施形態において、ＳＩＦＴ技術の検出ステップは、本発明に従って、第２ビデオプログラムにおけるＲＯＩの識別のために用いられる。それは、第２ビデオプログラムの複数の連続フレームにおいてピクセル点を検出し、フレーム間でピクセル点の記述子（例えば、ｘ及びｙ座標）を比較し、特定のピクセル点を識別するようフレームごとにヒストグラムにより記述子を累積することによって、達成される。例えば、スポーツ競技の得点領域に適用される場合に、ヒストグラムのビンは、得点領域がビデオプログラムのフレームにおいて比較的静的な領域であることから、スコアの数に対応するピクセル点を示す。累積されたヒストグラムの解析は、容易且つ便利な技術であって、視聴者が最も関心のある領域に対応するピクセル点の位置を抽出するのに役立つことができる。ＳＩＦＴ技術の識別結果は、他の技術よりもロバスト且つ正確である。
【００２５】
今日、メディアの視聴者が同時に多くの情報を入手することは、一般的且つ必須である。上記の本発明の方法に従って、視聴者は、ビデオプログラムを見ながら同時に他のビデオプログラムを監視することができる。ビデオプログラムのＲＯＩを識別し、それに対応する情報を表示することによって、視聴者は、第１ビデオプログラムを見ながら第２ビデオプログラムについての最も関心のある情報に注目することができる。それは、第２ビデオプログラムのＲＯＩがＰＩＰモードにおいて表示される場合に特に重要且つ有益である。ＲＯＩのみが表示されるので、第２ビデオプログラムのＲＯＩの解像度は増大される。これは、第２ビデオプログラムがその元の全体画像により表示される場合にはあり得ない。加えて、記録された第２ビデオプログラムの一部分を再生する可能性も、特に、最も関心のある情報の変化に対応して再生が開始される場合に、視聴経験を改善する。このように、視聴者は、他のビデオプログラムに関する重要な情報を失わずに、メインのビデオプログラムを見終えることができる。
【図１】
2016536834.tif 000003
【図２】
2016536834.tif 000004
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
第１ビデオプログラムを表示しながら同時に第２ビデオプログラムを監視するための、受信器において実施される方法であって、
第１ビデオプログラム及び第２ビデオプログラムを受信するステップと、
前記第２ビデオプログラムにおいて関心領域を識別するステップと、
前記第１ビデオプログラムと、前記第２ビデオプログラムの前記関心領域の少なくとも一部分に対応する情報とをディスプレイへ供給するステップと、
前記第２ビデオプログラムを記録するステップと、
前記受信器によって、前記第２ビデオプログラムの前記関心領域の少なくとも一部分に対応する前記供給された情報の変化を検出するステップと、
前記供給された情報の変化が起きた変化時間を記録するステップと、
前記検出に応答して前記受信器によって自動的に、前記記録された第２ビデオプログラムの少なくとも一部分を取り出すステップと、
前記第２ビデオプログラムの前記取り出された部分をディスプレイへ供給するステップと
を有し、
前記第２ビデオプログラムの前記取り出された部分は、前記変化時間よりも早い時間から開始する再生のためにディスプレイへ供給される、方法。
【請求項２】
前記第１ビデオプログラムと、前記第２ビデオプログラムの前記関心領域の少なくとも一部分に対応する情報とをディスプレイへ供給することは、ピクチャ・イン・ピクチャに基づく、
請求項１に記載の方法。
【請求項３】
前記第２ビデオプログラムの少なくとも一部分を取り出してディスプレイへ供給することは、前記関心領域の少なくとも一部分に対応する前記供給された情報の変化に応答してユーザ入力の受信時に開始される、
請求項１又は２に記載の方法。
【請求項４】
前記第１ビデオプログラムをディスプレイへ供給することは、リアルタイムであり、
前記第２ビデオプログラムを記録することは、該記録された第２ビデオプログラムの少なくとも一部分を取り出してディスプレイへ供給することが遅延されるように、タイムシフト・レコーディングである、
請求項１乃至３のうちいずれか一項に記載の方法。
【請求項５】
前記第２ビデオプログラムにおいて前記関心領域を識別することは、前記第２ビデオプログラムにおいて複数のピクセル点を検出し、該ピクセル点のｘ及びｙ座標を抽出することを含む、
請求項１乃至４のうちいずれか一項に記載の方法。
【請求項６】
前記第２ビデオプログラムにおいて前記関心領域を識別することは、前記ピクセル点のＳＩＦＴ、ＯｐｐｏｎｅｎｔＳＩＦＴ及び／又はＳＵＲＦ特徴を解析することを含む、
請求項５に記載の方法。
【請求項７】
前記第２ビデオプログラムの前記取り出された部分をディスプレイへ供給することは、ピクチャ・イン・ピクチャに基づく、
請求項１乃至６のうちいずれか一項に記載の方法。
【請求項８】
前記第１ビデオプログラム及び前記第２ビデオプログラムの前記取り出された部分は、夫々異なるディスプレイへ供給される、
請求項１乃至６のうちいずれか一項に記載の方法。
【請求項９】
第１ビデオプログラムを表示しながら同時に第２ビデオプログラムを監視するよう構成される装置であって、
第１ビデオプログラム及び第２ビデオプログラムを受信する受信ユニットと、
前記第２ビデオプログラムを記録する記録ユニットと、
前記第２ビデオプログラムにおいて関心領域を識別し、且つ、前記記録された第２ビデオプログラムの少なくとも一部分を取り出す制御ユニットと、
前記第１ビデオプログラムと、前記第２ビデオプログラムの前記関心領域の少なくとも一部分に対応する情報と、前記第２ビデオプログラムの前記取り出された部分とをディスプレイへ供給する処理ユニットと
を有し、
前記制御ユニットは、前記第２ビデオプログラムの前記関心領域の少なくとも一部分に対応する前記供給された情報の変化を検出し、該供給された情報の変化が起きた変化時間を記録し、
前記処理ユニットは、前記変化時間よりも早い時間から開始する再生のために前記記録された第２ビデオプログラムの前記取り出された部分をディスプレイへ供給する、装置。
【請求項１０】
ユーザ入力を受信及び送信する入力ユニットを更に有し、
前記制御ユニットは、前記関心領域の少なくとも一部分に対応する前記供給された情報の変化に応答して、ユーザ入力の受信時に、前記記録された第２ビデオプログラムの少なくとも一部分を取り出す、
請求項９に記載の装置。
【請求項１１】
前記記録ユニットは、前記第２ビデオプログラムを記録することがタイムシフト・レコーディングであるように循環バッファを有する、
請求項９又は１０に記載の装置。
【請求項１２】
前記制御ユニットは、前記第２ビデオプログラムにおいて複数のピクセル点を検出し、該ピクセル点のｘ及びｙ座標を抽出することによって、前記第２ビデオプログラムにおいて前記関心領域を識別する、
請求項９乃至１１のうちいずれか一項に記載の装置。
【請求項１３】
前記制御ユニットは、前記ピクセル点のＳＩＦＴ、ＯｐｐｏｎｅｎｔＳＩＦＴ及び／又はＳＵＲＦ特徴を解析することによって、前記第２ビデオプログラムにおいて前記関心領域を識別する、
請求項１２に記載の装置。
【請求項１４】
前記処理ユニットは、前記第２ビデオプログラムの前記取り出された部分をピクチャ・イン・ピクチャに基づき供給する、
請求項９乃至１３のうちいずれか一項に記載の装置。
【請求項１５】
前記処理ユニットは、前記第１ビデオプログラム及び前記第２ビデオプログラムの前記取り出された部分を夫々異なるディスプレイへ供給する、
請求項９乃至１３のうちいずれか一項に記載の装置。
【手続補正２】
【補正対象書類名】明細書
【補正対象項目名】００２５
【補正方法】変更
【補正の内容】
【００２５】
今日、メディアの視聴者が同時に多くの情報を入手することは、一般的且つ必須である。上記の本発明の方法に従って、視聴者は、ビデオプログラムを見ながら同時に他のビデオプログラムを監視することができる。ビデオプログラムのＲＯＩを識別し、それに対応する情報を表示することによって、視聴者は、第１ビデオプログラムを見ながら第２ビデオプログラムについての最も関心のある情報に注目することができる。それは、第２ビデオプログラムのＲＯＩがＰＩＰモードにおいて表示される場合に特に重要且つ有益である。ＲＯＩのみが表示されるので、第２ビデオプログラムのＲＯＩの解像度は増大される。これは、第２ビデオプログラムがその元の全体画像により表示される場合にはあり得ない。加えて、記録された第２ビデオプログラムの一部分を再生する可能性も、特に、最も関心のある情報の変化に対応して再生が開始される場合に、視聴経験を改善する。このように、視聴者は、他のビデオプログラムに関する重要な情報を失わずに、メインのビデオプログラムを見終えることができる。  
上記の実施形態に加えて、以下の付記を開示する。
（付記１）
第１ビデオプログラムを表示しながら同時に第２ビデオプログラムを監視するための、受信器において実施される方法であって、
第１ビデオプログラム及び第２ビデオプログラムを受信するステップと、
前記第２ビデオプログラムにおいて関心領域を識別するステップと、
前記第１ビデオプログラムと、前記第２ビデオプログラムの前記関心領域の少なくとも一部分に対応する情報とをディスプレイへ供給するステップと、
前記第２ビデオプログラムを記録するステップと、
前記関心領域の少なくとも一部分に対応する前記供給された情報の変化に応答して、前記記録された第２ビデオプログラムの少なくとも一部分を取り出すステップと、
前記第２ビデオプログラムの前記取り出された部分をディスプレイへ供給するステップと
を有する方法。
（付記２）
前記第１ビデオプログラムと、前記第２ビデオプログラムの前記関心領域の少なくとも一部分に対応する情報とをディスプレイへ供給するステップは、ピクチャ・イン・ピクチャに基づく、
付記１に記載の方法。
（付記３）
前記第２ビデオプログラムの少なくとも一部分を取り出してディスプレイへ供給するステップは、前記関心領域の少なくとも一部分に対応する前記供給された情報の変化に応答してユーザ入力の受信時に開始される、
付記１又は２に記載の方法。
（付記４）
前記第１ビデオプログラムをディスプレイへ供給することは、リアルタイムであり、
前記第２ビデオプログラムを記録することは、該記録された第２ビデオプログラムの少なくとも一部分を取り出してディスプレイへ供給することが遅延されるように、タイムシフト・レコーディングである、
付記１乃至３のうちいずれか一つに記載の方法。
（付記５）
前記供給された情報の変化が起きた変化時間を記録するよう、前記第２ビデオプログラムの前記関心領域の少なくとも一部分に対応する前記情報を解析するステップを更に有し、
前記第２ビデオプログラムの前記取り出された部分は、前記変化時間よりも早い時間から開始する再生のためにディスプレイへ供給される、
付記４に記載の方法。
（付記６）
前記第２ビデオプログラムにおいて前記関心領域を識別するステップは、前記第２ビデオプログラムにおいて複数のピクセル点を検出し、該ピクセル点のｘ及びｙ座標を抽出することを含む、
付記１乃至５のうちいずれか一つに記載の方法。
（付記７）
前記第２ビデオプログラムにおいて前記関心領域を識別することは、前記ピクセル点のＳＩＦＴ、ＯｐｐｏｎｅｎｔＳＩＦＴ及び／又はＳＵＲＦ特徴を解析することを含む、
付記６に記載の方法。
（付記８）
前記第２ビデオプログラムの前記取り出された部分をディスプレイへ供給するステップは、ピクチャ・イン・ピクチャに基づく、
付記１乃至７のうちいずれか一つに記載の方法。
（付記９）
第１ビデオプログラムを表示しながら同時に第２ビデオプログラムを監視するよう構成される装置であって、
第１ビデオプログラム及び第２ビデオプログラムを受信する受信ユニットと、
前記第２ビデオプログラムを記録する記録ユニットと、
前記第２ビデオプログラムにおいて関心領域を識別し、且つ、前記記録された第２ビデオプログラムの少なくとも一部分を取り出す制御ユニットと、
前記第１ビデオプログラムと、前記第２ビデオプログラムの前記関心領域の少なくとも一部分に対応する情報と、前記第２ビデオプログラムの前記取り出された部分とをディスプレイへ供給する処理ユニットと
を有し、
前記制御ユニットは、前記第２ビデオプログラムの前記関心領域の少なくとも一部分に対応する前記供給された情報の変化に応答して、前記記録された第２ビデオプログラムの少なくとも一部分を取り出す、装置。
（付記１０）
ユーザ入力を受信及び送信する入力ユニットを更に有し、
前記制御ユニットは、前記関心領域の少なくとも一部分に対応する前記供給された情報の変化に応答して、ユーザ入力の受信時に、前記記録された第２ビデオプログラムの少なくとも一部分を取り出す、
付記９に記載の装置。
（付記１１）
前記記録ユニットは、前記第２ビデオプログラムを記録することがタイムシフト・レコーディングであるように循環バッファを有する、
付記９又は１０に記載の装置。
（付記１２）
前記制御ユニットは、前記供給された情報の変化が起きた変化時間を記録するよう、前記第２ビデオプログラムの前記関心領域の少なくとも一部分に対応する前記情報を解析し、
前記処理ユニットは、前記変化時間よりも早い時間から開始する再生のために、前記第２ビデオプログラムの前記取り出された部分をディスプレイへ供給する、
付記９乃至１１のうちいずれか一つに記載の装置。
（付記１３）
前記制御ユニットは、前記第２ビデオプログラムにおいて複数のピクセル点を検出し、該ピクセル点のｘ及びｙ座標を抽出することによって、前記第２ビデオプログラムにおいて前記関心領域を識別する、
付記９乃至１２のうちいずれか一つに記載の装置。
【国際調査報告】
2016536834.tif 000005
2016536834.tif 000006
2016536834.tif 000007